(57)【要約】【課題】壁式建物において、まぐさを伴わない開口部を簡易に形成すること。【解決手段】壁式建物の開口構造であって、建物１の開口部１３を挟む両側に耐力壁１４を設け、両耐力壁１４の上に上階の床梁２１Ａを架け渡し、各耐力壁１４の上部の両端で該耐力壁１４と床梁２１Ａとを金物３０にて接合するもの。【選択図】  図２
2004176379.tif 000002
【特許請求の範囲】
【請求項１】
建物の開口部を挟む両側に耐力壁を設け、両耐力壁の上に上階の床梁を架け渡し、各耐力壁の上部の両端で該耐力壁と床梁とを金物にて接合する壁式建物の開口構造。
【請求項２】
前記床梁が木製梁である請求項１に記載の壁式建物の開口構造。
【請求項３】
前記床梁が木製梁と鋼製梁の複合梁である請求項１に記載の壁式建物の開口構造。
【請求項４】
複数の建物ユニットからなり、下階建物ユニットの開口部を挟む両側の耐力壁と、上階建物ユニットの床梁とを金物にて接合し、請求項１〜３のいずれかに記載の開口構造を用いたユニット建物。
【発明の詳細な説明】
【０００１】
【発明の属する技術分野】
本発明は壁式建物の開口構造及びユニット建物に関する。
【０００２】
【従来の技術】
壁式建物において、耐力壁線上に開口部を設ける場合、開口部の上部にまぐさが必要になり、結果として、開口部の上部が少なくとも２５０ｍｍ以上の高さの垂れ壁状になる。このため、外壁における採光性や、内部耐力壁における空間の連続性の観点から、まぐさを不要にしたいという要望があった。
【０００３】
特許文献１では、建物に門形の木質ラーメンフレームを組込み、耐力壁やまぐさを用いずに、壁のない開口部を形成可能にしている。この木質ラーメンフレームは、２本の集成材からなる縦材の上部に接合金属板を介して横材を横架接合し、門形をなすようにしたものである。
【０００４】
【特許文献１】
特開平９−６０１０７（［０００８］、図１、図２）
【０００５】
【発明が解決しようとする課題】
特許文献１の木質ラーメンフレームは、集成材を用いるものであり、部材コストが高価になる。
【０００６】
また、ユニット建物において、上階建物ユニットの床梁を横材として特許文献１の木質ラーメンフレームを構築しようとすることは、床梁が既に外装仕上げを施されていること、床梁を下階建物ユニットの縦材に接合するための接合金属板を上下の建物ユニットに渡らせることに困難があること、床梁と縦材を接合金属板に固定するためのドリフトピンを打つことに困難があることにより、採用し難い。
【０００７】
本発明の課題は、壁式建物において、まぐさを伴わない開口部を簡易に形成することにある。
【０００８】
【課題を解決するための手段】
請求項１の発明は、建物の開口部を挟む両側に耐力壁を設け、両耐力壁の上に上階の床梁を架け渡し、各耐力壁の上部の両端で該耐力壁と床梁とを金物にて接合する壁式建物の開口構造である。
【０００９】
請求項２の発明は、請求項１の発明において更に、前記床梁が木製梁であるようにしたものである。
【００１０】
請求項３の発明は、請求項１の発明において更に、前記床梁が木製梁と鋼製梁の複合梁であるようにしたものである。
【００１１】
請求項４の発明は、複数の建物ユニットからなり、下階建物ユニットの開口部を挟む両側の耐力壁と、上階建物ユニットの床梁とを金物にて接合し、請求項１〜３のいずれかに記載の開口構造を用いたユニット建物である。
【００１２】
【作用】
請求項１の発明によれば下記▲１▼、▲２▼の作用がある。
▲１▼上階の床梁と、下階の両側の耐力壁で、下階の開口部を囲み形成するものであり、まぐさを伴わずに開口部を形成できる。
【００１３】
▲２▼高価な部材を必要とせずに、上階の床梁を利用できるし、上階の床梁と下階の耐力壁とは金物にて簡易に接合できる。
【００１４】
請求項２の発明によれば下記▲３▼の作用がある。
▲３▼床梁を、大断面の木製梁からなるものとすることにより、開口構造の強度を確保できる。
【００１５】
請求項３の発明によれば下記▲４▼の作用がある。
▲４▼床梁を、木製梁と鋼製梁の複合梁からなるものとすることにより、開口構造の強度を確保できる。
【００１６】
請求項４の発明によれば下記▲５▼の作用がある。
▲５▼下階建物ユニットの開口部を挟む両側の耐力壁と、上階建物ユニットの床梁とを金物にて接合することにより、ユニット建物において、上述▲１▼〜▲４▼を実現し、まぐさを伴わない開口部を簡易に形成できる。
【００１７】
【発明の実施の形態】
図１はユニット建物の要部を示す斜視図、図２は第１実施形態の開口構造を示し、（Ａ）は全体斜視図、（Ｂ）はナット付座金を示す斜視図、図３は第２実施形態の開口構造を示し、（Ａ）は全体斜視図、（Ｂ）は（Ａ）のＢ−Ｂ線に沿う矢視図である。
【００１８】
（第１実施形態）（図１、図２）
図１のユニット建物１は、建築現場に設置された基礎１Ａの上に、工場生産された複数の建物ユニットを据付けて構築されたものであり、その一部において下階建物ユニット１０の上に上階建物ユニット２０を搭載している。建物ユニット１０、２０は、木質壁式ユニットであり、床パネル１１、２１の外縁に壁１２、２２を立設して構成されている。
【００１９】
ユニット建物１は、下階に開口部１３を有する。ユニット建物１は、図１、図２に示す如く、下階建物ユニット１０の開口部１３を挟む両側に耐力壁１４、１４を設け、両耐力壁１４、１４の上に上階建物ユニット２０の床パネル２１を構成している床梁２１Ａを架け渡し、各耐力壁１４の上部の両端で該耐力壁１４と床梁２１Ａとを金物３０にて接合する。具体的には以下の通りである。
【００２０】
耐力壁１４は複数本の縦材１４Ａと上下の横材１４Ｂとからなる壁枠組の表裏両面に壁面材（不図示）を張り設けて構成されている。
【００２１】
床パネル２１は大断面木製梁からなる床梁２１Ａと、床梁２１Ａの下面の接合材２１Ｂとを有する。
【００２２】
金物３０は、ホールダウン金物であり、耐力壁１４の両端の縦材１４Ａの内側面に工場生産段階で釘打ち固定されている。また、金物３０に対応するナット付座金３１（図２（Ｂ））が床梁２１Ａの上面に工場生産段階で埋込み設置されている。
【００２３】
そこで、下階建物ユニット１０の上に上階建物ユニット２０を搭載した状態下で、耐力壁１４の面材未取着部から耐力壁１４の内側に差し入れたボルト３２を金物３０から、耐力壁１４の横材１４Ｂ、床パネル２１の接合材２１Ｂ、床梁２１Ａに設けてあるボルト孔に挿通し、床梁２１Ａの上面に設置してあるナット付座金３１に締結する。これにより、耐力壁１４と床梁２１Ａとが接合される。
【００２４】
本実施形態によれば以下の作用がある。
▲１▼上階の床梁２１Ａと、下階の両側の耐力壁１４で、下階の開口部１３を囲み形成するものであり、まぐさを伴わずに開口部１３を形成できる。
【００２５】
▲２▼高価な部材を必要とせずに、上階の床梁２１Ａを利用できるし、上階の床梁２１Ａと下階の耐力壁１４とは金物３０にて簡易に接合できる。
【００２６】
▲３▼床梁２１Ａを、大断面の木製梁からなるものとすることにより、開口構造の強度を確保できる。
【００２７】
▲４▼下階建物ユニット１０の開口部１３を挟む両側の耐力壁１４と、上階建物ユニット２０の床梁２１Ａとを金物３０にて接合することにより、ユニット建物１において、上述▲１▼〜▲３▼を実現し、まぐさを伴わない開口部１３を簡易に形成できる。
【００２８】
（第２実施形態）（図３）
第２実施形態が第１実施形態と異なる点は、上階建物ユニット２０の床パネル２１を構成している床梁２１Ａを、木製梁４１と鋼製梁４２（本実施形態ではＣ形鋼）の複合梁からなるものとしたことにある。
【００２９】
耐力壁１４の両端の縦材１４Ａの内側面に固定してある金物３０に挿入したボルト３２は、耐力壁１４の横材１４Ｂ、床パネル２１の接合材２１Ｂ、鋼製梁４２に設けてあるボルト孔を挿通し、鋼製梁４２の下フランジに着座するナット３３に締結される。これにより、耐力壁１４と床梁２１Ａとが接合される。
【００３０】
本実施形態によれば、床梁２１Ａを、木製梁４１と鋼製梁４２の複合梁からなるものとすることにより、開口構造の強度を確保できる。
【００３１】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明はユニット建物に限らず、一般の建物の開口構造にも適用できる。
【００３２】
【発明の効果】
本発明によれば、壁式建物において、まぐさを伴わない開口部を簡易に形成することができる。
【図面の簡単な説明】
【図１】図１はユニット建物の要部を示す斜視図である。
【図２】図２は第１実施形態の開口構造を示し、（Ａ）は全体斜視図、（Ｂ）はナット付座金を示す斜視図である。
【図３】図３は第２実施形態の開口構造を示し、（Ａ）は全体斜視図、（Ｂ）は（Ａ）のＢ−Ｂ線に沿う矢視図である。
【符号の説明】
１  ユニット建物
１０  下階建物ユニット
１３  開口部
１４  耐力壁
２０  上階建物ユニット
２１Ａ  床梁
３０  金物
４１  木製梁
４２  鋼製梁
【図１】
2004176379.tif 000003
【図２】
2004176379.tif 000004
【図３】
2004176379.tif 000005